(57)【要約】【課題】サンシェードパネルの表面を押圧してがたつきを防ぎ、サンシェードパネル押圧部分の構造が簡単で、容易に組み付けることができ、安定して作動すると共に、サンシェードパネルを繰り返し開閉しても変形し難いサンシェード装置の提供。【解決手段】同一平面内に展開する閉鎖位置と互いに積み重ねられる収納位置との間をスライドする複数のサンシェードパネルと、収納位置の外側方へ張り出したガイド部材６と、ガイド部材６に沿って摺動可能に、且つ、ガイド部材６を中心として回動可能に設けられ、ガイド部材６の内側端部寄りに摺動した時、先端部がサンシェードパネルの表面に臨む押圧部材７と、押圧部材７をその先端部がサンシェードパネルの表面を押圧するよう付勢するスプリング８と、常態において押圧部材７の摺動を規制するストッパ９とを備える。【選択図】図３
2009061900.tif 000002
【特許請求の範囲】
【請求項１】
同一平面内に展開する閉鎖位置と、互いに積み重ねられる収納位置との間をスライドする複数のサンシェードパネルを有するサンシェード装置において、前記収納位置の外側方へ張り出したガイド部材と、該ガイド部材に沿って摺動可能に、且つ、前記ガイド部材を中心として回動可能に設けられ、前記ガイド部材の内側端部寄りに摺動した時、先端部が前記サンシェードパネルの表面に臨む押圧部材と、該押圧部材をその先端部が前記サンシェードパネルの表面を押圧するよう付勢するスプリングと、常態において前記押圧部材の摺動を規制するストッパとを備えたことを特徴としたサンシェード装置。
【請求項２】
前記ガイド部材、押圧部材、スプリング及びストッパを前記収納位置の両側前後部にそれぞれ設けた請求項１に記載のサンシェード装置。
【請求項３】
前記スプリングが、該スプリングとは別体の押圧部材に取り付けられている請求項１又は２に記載のサンシェード装置。
【請求項４】
前記押圧部材と前記スプリングとが一体に形成されている請求項１又は２に記載のサンシェード装置。
【請求項５】
前記閉鎖位置及び収納位置の側方に亘って、前記サンシェードパネルをガイドする枠材を設け、前記ガイド部材及びストッパを前記枠材に設けた請求項１〜４のいずれかに記載のサンシェード装置。
【請求項６】
前記ストッパは前記ガイドレールから起立した立上り壁より成る請求項５に記載のサンシェード装置。
【発明の詳細な説明】
【技術分野】
【０００１】
本発明は、自動車のサンルーフ等の透光部を開放・遮蔽するサンシェード装置に関する。
【背景技術】
【０００２】
自動車等のサンルーフ装置と組み合わせて使用されるサンシェード装置として、サンシェードを前後サンシェードに分割してそれぞれをガイドレールで前後移動自在に案内し、サンシェードを後方へ移動した時、分割されたサンシェードを積み重ねて収納する収納部を形成したものが知られている（特許文献１）。  
一般的に、このようなサンシェード装置では、サンシェードが平面状態に展開している時は、その上下移動がガイドレールによって規制されているので、車両が走行してもそれほどがたつくことはない。しかし、サンシェードが積み重ねられている場合は、走行時の振動によりがたついて騒音が発生しやすい。  
上記従来のサンシェード装置は、前後サンシェードが重なって収納された時、バネで弾下体を押し下げて後サンシェードを弾圧する弾下手段を備えている。しかし、このものは、レールカバーから吊り下げたバネでサンシェードを押圧しているので、前後にスライドするサンシェードに押されてバネが曲がりやすく、弾圧力の働く方向が不安定であり、繰り返しサンシェードを開閉すると、バネが変形する虞もある。
【０００３】
【特許文献１】特開平５−２０１２５６号公報
【発明の開示】
【発明が解決しようとする課題】
【０００４】
本発明が解決しようとする課題は、収納位置に積み重ねられたサンシェードパネルの表面を押圧してがたつきを防ぎ、サンシェードパネル押圧部分の構造が簡単で、容易に組み付けることができ、安定して作動すると共に、サンシェードパネルを繰り返し開閉しても変形し難いサンシェード装置を提供することにある。
【課題を解決するための手段】
【０００５】
本発明は、同一平面内に展開する閉鎖位置と、互いに積み重ねられる収納位置との間をスライドする複数のサンシェードパネルを有するサンシェード装置に係り、前記収納位置の外側方へ張り出したガイド部材と、該ガイド部材に沿って摺動可能に、且つ、前記ガイド部材を中心として回動可能に設けられ、前記ガイド部材の内側端部寄りに摺動した時、先端部が前記サンシェードパネルの表面に臨む押圧部材と、該押圧部材をその先端部が前記サンシェードパネルの表面を押圧するよう付勢するスプリングと、常態において前記押圧部材の摺動を規制するストッパとを備える。
【０００６】
前記ガイド部材、押圧部材、スプリング及びストッパを前記収納位置の両側前後部にそれぞれ設けるのが望ましい。  
前記スプリングを、該スプリングとは別体の前記押圧部材に取り付けることも、或いは、前記押圧部材とスプリングとを一体に形成することもある。  
前記閉鎖位置及び収納位置の側方に亘って、前記サンシェードパネルをガイドする枠材を設け、前記ガイド部材及びストッパを前記枠材に設けると良い。
前記ストッパは前記ガイドレールから起立した立上り壁とすることがある。
【発明の効果】
【０００７】
請求項１に係る発明によれば、収納位置に積み重ねたサンシェードパネルの表面を押圧部材の先端部で押圧するので、振動等によりサンシェードパネルががたつくのを防ぐことができる。  
また、押圧部材をガイド部材にはめ込み、付勢力に抗して回動させながら摺動させるだけで、サンシェードパネルを押圧する位置へ押圧部材を容易に組み付けることが可能であり、しかも、押圧部材は簡単に脱落する心配が無い。  
さらに、押圧部材はガイド部材で回動可能に支持されてサンシェードパネルを押圧するので、押圧方向が安定し、サンシェードパネルの開閉を繰り返してもずれたり変形する心配が無い。
【０００８】
請求項２に係る発明によれば、積み重ねたサンシェードパネルの四隅部を押圧するので、確実にサンシェードパネルのがたつきを防止できる。  
請求項３に係る発明によれば、押圧部材にスプリングを取り付けておいてガイド部材へ嵌合することにより、押圧部材及びスプリングを簡単に組み込むことができる。  
請求項４に係る発明によれば、押圧部材とスプリングとを一体にしてあるため、さらに構造が簡単で組みつけが容易となる。  
請求項５及び６に係る発明によれば、サンシェードパネルをガイドする枠材に押圧部材を支持するガイド部材及びストッパを設けたので、構造が簡単で済む。
【発明を実施するための最良の形態】
【０００９】
以下、本発明の実施例を図面に基づいて詳細に説明する。  
本実施例のサンシェード装置は、自動車のサンルーフの直下に設置され、図１及び図２に示すように、サンルーフの透光部ａを閉鎖する閉鎖位置と、透光部ａの後方に設けられた収納位置との間をスライドする複数の（本実施例では３枚の）サンシェードパネル１、閉鎖位置及び収納位置の両側に亘って配設され、サンシェードパネル１をガイドする枠材２、及び、収納位置の両側前後部にそれぞれ設けられたパネル押え装置３とを備える。
【００１０】
枠材２の内部には、モータ４で巻き取り・巻き戻しされるワイヤ５を通してあり、このワイヤ５で駆動されてサンシェードパネル１が枠材２に沿ってスライドする。  
そして、サンシェードパネル１は、閉鎖位置にある時には同一平面内に位置するよう展開し（図１）、収納位置へ移動した時には互いに積み重ねられる（図２）。また、積み重ねられたサンシェードパネル１の表面をパネル押え装置３で押圧して、走行中の振動によるがたつきを防ぐようになっている。
【００１１】
パネル押え装置３は、図３に示すように、サンシェードパネル１の収納位置の外側方へ張り出したガイド部材６と、ガイド部材６に沿って摺動可能に、且つ、ガイド部材６を中心として回動可能に設けられた押圧部材７と、押圧部材７に取り付けられたスプリング８と、押圧部材７の摺動範囲に設置されたストッパ９とから成る。  
ストッパ９は、枠材２の底面から起立した立上り壁より成る。また、ストッパ９はサンシェードパネル１のスライド方向と平行に延びており、その前端上部は斜めに切り欠いてある。  
ストッパ９の内側において枠材２には押圧部材収納空間１０が形成され、押圧部材収納空間１０の内側面後部には、サンシェードパネル１の収納位置と連通する切欠き部１４が形成されている。
【００１２】
ガイド部材６は、内側端部が押圧部材収納空間１０の内側面前部に固定された丸棒より成り、ストッパ９の前方を横切って外側方へ片持ち状に張り出している。また、ガイド部材６の下方において、枠材２の底面にはスプリング係止溝１１がガイド部材６と平行に形成されている。  
押圧部材７は、略Ｌ字形のレバーより成り、その基端部にはガイド部材６の外周に嵌合される筒状部１２が形成されると共に、先端部には内側へ突出する押圧突起１３が形成されている。  
スプリング８は、ねじりコイルばねより成り、押圧部材７の筒状部１２の外面に取り付けられる。また、スプリング８の一端は枠材２のスプリング係止溝１１に摺動可能に係合し、スプリング８の他端は押圧部材７の上面に当接する。
【００１３】
次に、パネル押え装置３の組み付け手順を説明する。  
予め、押圧部材７にスプリング８を取り付けておき、図４〜図６に示すように、押圧部材７の筒状部１２をガイド部材６の外側端部からはめ込むと共に、スプリング８の一端をスプリング係止溝１１に係合する。この時、押圧部材７の押圧突起１３は内側（収納位置側）へ向くようにする。  
すると、スプリング８の他端が押圧部材７を枠材２の底面に向って押圧し、押圧部材７はストッパ９より外方においてガイド部材６から後方へ向って延びる。
【００１４】
次いで、図７〜図９に示すように、スプリング８の付勢力に抗して押圧部材７を斜め上方へ回動させてから、ストッパ９の上方を超えてガイド部材６の内側端部方向へ摺動させる。  
図１０〜図１２に示すように、押圧部材７がストッパ９を通過してガイド部材６の内側端部寄りに移動したら、押圧部材７を解放する。すると、押圧部材７はスプリング８により枠材２の底面に向けて押圧され、押圧部材収納空間１０に収納される。この時、押圧部材７の先端に形成された押圧突起１３は、切欠き部１４を通して枠材２より内方に突出する。
【００１５】
そして、サンシェードパネル１が収納位置に積み重ねられている場合は、押圧部材７の押圧突起１３がサンシェードパネル１の表面に臨み、スプリング８で付勢されてサンシェードパネル１の表面を押圧する。  
また、透光部ａを解放する際に、展開しているサンシェードパネル１を収納位置へスライドさせると、サンシェードパネル１がスプリング８の付勢力に抗して押圧部材７を押し上げながら順次積み重なる。
【００１６】
なお、本発明のサンシェード装置の具体的な構造は上記実施例に限定されない。  
例えば、ねじりコイルばねより成るスプリングの他端を延長して、スプリングと一体の押圧部材を形成し、さらにその先端部を内側に曲げて押圧突起とすることもできる。  
また、サンシェードパネルの大きさによっては、パネル押え装置を収納位置の両側に１つずつ設置するだけでよい。
【図面の簡単な説明】
【００１７】
【図１】本発明の実施例を示すサンシェード装置の透光部閉鎖状態における斜視図。
【図２】本発明の実施例を示すサンシェード装置の透光部開放状態における斜視図。
【図３】本発明の実施例に係るパネル押え装置の斜視図。
【図４】押圧部材組み付け工程の第１段階を示すパネル押え装置の外側から見た側面図。
【図５】押圧部材組み付け工程の第１段階を示すパネル押え装置の平面図。
【図６】押圧部材組み付け工程の第１段階を示すパネル押え装置の内側から見た側面図。
【図７】押圧部材組み付け工程の第２段階を示すパネル押え装置の外側から見た側面図。
【図８】押圧部材組み付け工程の第２段階を示すパネル押え装置の平面図。
【図９】押圧部材組み付け工程の第２段階を示すパネル押え装置の内側から見た側面図。
【図１０】押圧部材組み付け工程の第３段階を示すパネル押え装置の外側から見た側面図。
【図１１】押圧部材組み付け工程の第３段階を示すパネル押え装置の平面図。
【図１２】押圧部材組み付け工程の第３段階を示すパネル押え装置の内側から見た側面図。
【符号の説明】
【００１８】
１  サンシェードパネル
２  枠材
３  パネル押え装置
４  モータ
５  ワイヤ
６  ガイド部材
７  押圧部材
８  スプリング
９  ストッパ
１０  押圧部材収納空間
１１  スプリング係止溝
１２  筒状部
１３  押圧突起
１４  切欠き部
【図３】
2009061900.tif 000003
【図４】
2009061900.tif 000004
【図５】
2009061900.tif 000005
【図６】
2009061900.tif 000006
【図７】
2009061900.tif 000007
【図８】
2009061900.tif 000008
【図９】
2009061900.tif 000009
【図１０】
2009061900.tif 000010
【図１１】
2009061900.tif 000011
【図１２】
2009061900.tif 000012
【図１】
2009061900.tif 000013
【図２】
2009061900.tif 000014